(57)【要約】【課題】  設定情報を知らなくても、無線ネットワーク接続を設定できるようにする。【解決手段】  プリンタ装置１０１は、無線ネットワーク接続のＥＳＳ−ＩＤ、ＷＥＰ及びチャネル番号が設定されているかどうかを確認する。未設定の場合、これらのネットワーク接続情報を作成し、設定する。設定されたネットワーク接続情報をメモリカード１０３に記録する。画像記録再生装置１０２は、メモリカード１０３からネットワーク接続情報を読み出し、プリンタ装置１０１との無線ネットワーク接続のための情報を設定する。ネットワーク接続設定の後、画像記録再生装置１０２は、メモリカード１０３からネットワーク接続情報を削除する。【選択図】  図１
2005303565.tif 000002
【特許請求の範囲】
【請求項１】
無線ネットワークを介してデータを伝送する第１及び第２の無線通信機からなる無線通信システムであって、
当該第１の無線通信機が、第１の無線通信手段と、着脱可能な記憶媒体を接続可能な第１の記憶媒体インターフェースと、当該無線ネットワークの接続に関するネットワーク接続情報を当該記憶媒体に書き込む第１の記憶媒体制御手段を具備し、
当該第２の無線通信機が、第２の無線通信手段と、当該着脱可能な記憶媒体を接続可能な第２の記憶媒体インターフェースと、当該ネットワーク接続情報を当該記憶媒体から読み出す第２の記憶媒体制御手段と、当該記憶媒体から読み出された当該ネットワーク接続情報を参照して、当該無線ネットワークの接続のための情報を設定する接続情報設定手段とを具備する
ことを特徴とする無線通信システム。
【請求項２】
当該第２の無線通信機は、当該接続情報設定手段による当該無線ネットワークの接続のための情報の設定の後、当該ネットワーク接続情報を当該記憶媒体から削除することを特徴とする請求項１に記載の無線通信システム。
【請求項３】
当該記憶媒体が画像データを記憶する記憶媒体であり、当該ネットワーク接続情報が、画像データを記憶する領域以外の領域に記録されることを特徴とする請求項１又は２に記載の無線通信システム。
【請求項４】
当該ネットワーク接続情報が、暗号化されて当該記憶媒体に記憶されることを特徴とする請求項１乃至３の何れか１項に記載の無線通信システム。
【請求項５】
当該ネットワーク接続情報が、ＩＰアドレス、ＳＳ−ＩＤ（ＥＳＳ−ＩＤ）、暗号キー（ＷＥＰキー）、ＭＡＣアドレス及びチャネル番号の何れか１つ以上を含むことを特徴とする請求項１乃至４の何れか１項に記載の無線通信システム。
【請求項６】
当該第１の無線通信機は、無線ネットワーク接続に関して何も設定されていない場合、当該ネットワーク設定情報を自動作成することを特徴とする請求項１乃至５の何れか１項に記載の無線通信システム。
【請求項７】
第１の無線通信機と当該第２の無線通信機との間の無線ネットワーク接続は、アドホック接続であることを特徴とする請求項１乃至６の何れか１項に記載の無線通信システム。
【請求項８】
当該第１及び第２の無線通信機の少なくとも一方は、無線ネットワーク接続による通信が一定時間無かった場合に無線ネットワーク接続を切断することを特徴とする請求項１乃至７の何れか１項に記載の無線通信システム。
【請求項９】
当該第１の無線通信機は、当該無線ネットワーク接続を切断する際に、当該無線ネットワーク接続の設定情報を保存する第１の設定情報保存手段を具備し、当該第２の無線通信機は、当該無線ネットワーク接続を切断する際に、当該無線ネットワーク接続の設定情報を保存する第２の設定情報保存手段を具備することを特徴とする請求項８に記載の無線通信システム。
【請求項１０】
当該第１及び第２の無線通信機は、当該無線ネットワーク接続を復元する際に、それぞれ、当該第１及び第２の設定情報保存手段に保存される設定情報を読み出し設定することを特徴とする請求項９に記載の無線通信システム。
【請求項１１】
当該第１及び第２の無線通信機の少なくとも一方は、無線ネットワーク接続の確立前に、他のネットワークに接続する場合、当該他のネットワークの接続を切断してから、当該無線ネットワーク接続を確立することを特徴とする請求項１乃至１０の何れか１項に記載の無線通信システム。
【請求項１２】
当該第１及び第２の無線通信機の少なくとも一方は、当該他のネットワークを切断するときに、当該他のネットワークの設定情報を保持することを特徴とする請求項１１に記載の無線通信システム。
【請求項１３】
当該第１及び第２の無線通信機の少なくとも一方は、当該無線ネットワーク接続を切断したとき、保存された当該他のネットワークの設定情報に従い当該他のネットワークに接続することを特徴とする請求項１２に記載の無線通信システム。
【発明の詳細な説明】
【技術分野】
【０００１】
本発明は、無線通信システムに関し、より具体的には、無線ネットワークに接続してデータを送受信する無線通信システムに関する。
【背景技術】
【０００２】
近年、無線ＬＡＮ（local Area Network）及びＢｌｕｅｔｏｏｔｈなど、パーソナルエリアの無線通信システムが利用され始めている。例えば、無線ＬＡＮでは、通信のために、ＩＰアドレス、ＳＳ−ＩＤ、暗号キー、ＭＡＣアドレスフィルタリング情報及びチャネル等を設定する。
【０００３】
ＩＰアドレスは、機器に割り付けられた特定のアドレスであり、同一アドレスは存在しない。ＳＳ−ＩＤは、無線機器間でのグループを特定する情報であり、同一グループに属する無線機器間での通信が許可される。暗号キーは、例えば、ＩＥＥＥ８０２．１１ではＷＥＰキーと呼ばれる４０／６４／１２８ｂｉｔの暗号化されたコードであり、同じＷＥＰを持つ無線機器以外からの接続を許可しない。ＭＡＣアドレスフィルタリング情報は、アクセスポイントに対する設定であり、設定したＭＡＣアドレスを持つ機器以外からの接続を許可しない。チャネルは、ステーションの設定であり、同じチャネルを持つ無線機器以外からの接続を許可しない。
【０００４】
このように、無線ネットワークでは、無線と言う特性上、電波を傍受される恐れと、ネットワーク環境に誰でも接続可能であり、電波を傍受され得るので、セキュリティ上、暗号キーによって接続認証を行う機能が用意されている。また、セキュリティを維持するには、ユーザは、上記の様な複雑な設定をする必要があり、また、上述の情報を予め知っておく必要がある。
【０００５】
公開している、アクセスポイント等の、ＳＳ−ＩＤ及びチャネルを自動的にスキャンし、接続可能な機器（ネットワーク）を探し、接続する構成が、特許文献１に記載されている。また、暗号キーを自動的に設定する方法が、特許文献２に記載されている。無線接続以外の物理的インターフェース又は短距離の無線通信を介して、設定値を受け渡す方法が、特許文献３に記載されている。
【特許文献１】特開２００２−３４４４５８号公報
【特許文献２】特開２００３−１１０５４３号公報
【特許文献３】特開２００２−３５９６２３号公報
【発明の開示】
【発明が解決しようとする課題】
【０００６】
しかしながら、ＳＳ−ＩＤとチャネルは、無線をスキャンすることで探知可能であるが、暗号キーは、公開されているもの以外、スキャンしても探知できない。
【０００７】
また、設定作業を簡易化するために暗号キーを自動設定することは可能であるが、異なった複数の機器に同一の暗号キーを自動設定するは実現できていない。
【０００８】
無線ネットワーク接続以外の通信インターフェースを持たない機器では、設定値を受け渡す事が出来ない。
【０００９】
通信相手が既にネットワーク接続を行っていた場合、ネットワーク内から侵入される恐れがある。
【００１０】
本発明は、画像記録再生装置及びプリンタ等のユーザインターフェースが貧弱な機器であっても、１対１の無線ネットワーク接続に必要な設定を簡単に行え、しかも、セキュリティを維持できる無線通信システムを提示することを目的とする。
【課題を解決するための手段】
【００１１】
本発明に係る無線通信システムは、無線ネットワークを介してデータを伝送する第１及び第２の無線通信機からなる無線通信システムであって、当該第１の無線通信機が、第１の無線通信手段と、着脱可能な記憶媒体を接続可能な第１の記憶媒体インターフェースと、当該無線ネットワークの接続に関するネットワーク接続情報を当該記憶媒体に書き込む第１の記憶媒体制御手段を具備し、当該第２の無線通信機が、第２の無線通信手段と、当該着脱可能な記憶媒体を接続可能な第２の記憶媒体インターフェースと、当該ネットワーク接続情報を当該記憶媒体から読み出す第２の記憶媒体制御手段と、当該記憶媒体から読み出された当該ネットワーク接続情報を参照して、当該無線ネットワークの接続のための情報を設定する接続情報設定手段とを具備することを特徴とする。
【発明の効果】
【００１２】
本発明によれば、着脱可能な記録媒体により、無線ネットワーク接続情報、例えば、無線ネットワーク接続に必要な設定情報をやり取りする事により、無線ネットワーク接続に関する知識が無くても、また、予め設定情報を知らなくとも、簡単に無線ネットワーク接続を構築できる。
【００１３】
暗号キーが初期状態であり、何も設定されていない場合でも、自動的に設定情報を作成し、着脱可能な記録媒体により接続相手に伝える事が出来るので、無線ネットワーク接続の知識が無くても、簡単にセキュリティを維持できる。
【００１４】
設定情報を機器に設定した後、当該設定情報を収容する暗号キーファイルを消去するので、第三者に設定情報を解読されてしまう可能性を低くすることができる。これもまた、セキュリティの維持に役立つ。
【００１５】
他の機器又はネットワークにネットワーク接続している場合、その接続を切断することにより、通信相手以外からの進入を遮断できる。
【００１６】
画像記録のための着脱可能な記録媒体で設定値をやり取りするので、設定値を通知するための新たなＩ／Ｆ手段を設ける必要が無い。
【発明を実施するための最良の形態】
【００１７】
以下、図面を参照して、本発明の実施例を詳細に説明する。
【実施例１】
【００１８】
図１は、本発明の第１実施例の概略構成ブロック図を示す。１０１は、プリンタ装置であり、１０１−１は、無線ネットワーク通信手段、１０１−２はメモリカードＩ／Ｆ、１０１−３は、無線ネットワーク接続に必要な情報をメモリカードに書き込む設定値書き込み手段、１０１−４は、無線ネットワーク接続に必要な情報、及び、直前の状態の設定値を保存する設定値保存手段である。
【００１９】
１０２は画像記録再生装置（ＤＶＣ）であり、１０２−１は無線ネットワーク通信手段、１０２−２は、メモリカードＩ／Ｆ、１０２−３は、無線ネットワーク接続に必要な情報をメモリカードから読み込み設定する設定値読み込み手段、１０２−４は、無線ネットワーク接続に必要な情報及び直前の状態の設定値を保存する設定値保存手段である。
【００２０】
１０３は、着脱可能な記録媒体（メモリカード）である。
【００２１】
本実施例では、プリンタ装置１０１と画像記録再生装置（ＤＶＣ）１０２とを無線で接続する。本実施例では、プリンタ装置１０１、画像記録再生装置１０２及びメモリカード１０３を例示したが、これは、実施例の説明のためであり、機器及び着脱可能な記録媒体は、これらに限定されない。
【００２２】
プリンタ装置１０１と画像記録再生装置１０２を無線ネットワーク接続により初めて接続する場合を説明する。図２は、プリンタ装置１０１の動作フローチャートを示し、図３は、画像記録再生装置１０２のフローチャートを示す。図４は、メモリカード１０３のディレクトリ構造を示す。
【００２３】
図２のステップ２０１で、プリンタ装置１０１のオペレーションパネルより、無線ネットワーク接続による通信を行う事を通知する。尚、オペレーションパネルの詳細については、省略する。
【００２４】
無線ネットワーク接続開始の通知がされると、図２のステップ２０２で、プリンタ装置１０１に、ＥＳＳ−ＩＤ、ＷＥＰ及びチャネル番号が設定されているかどうか確認を行う。
【００２５】
図２のステップ２０２で、暗号キーの設定が既に行われており、初期値ではなかった場合は、図２のステップ２０５へ進む。図２のステップ２０２で、設定がされておらず、初期値のままであった場合、図２のステップ２０３で暗号キーを作成し、図２のステップ２０４で、ステップ２０３で作成した暗号キーをプリンタ装置１０１に設定する。ここで、設定値有りの場合とは、オペレーションパネルより設定値を入力していた場合である。
【００２６】
暗号キーは、例えば、ＩＥＥＥ８０２．１１ｂで規定された、ＷＥＰ（Ｗｉｒｅｄ  Ｅｑｕｉｖａｌｅｎｔ  Ｐｒｉｖａｃｙ）キー、ＥＳＳ−ＩＤ（Ｅｘｔｅｎｄｅｄ  Ｓｅｒｖｉｃｅ  Ｓｅｔ−ＩＤ）及びチャネル番号（１〜１４）を示す。ＥＳＳ−ＩＤ、ＷＥＰ及びチャネル番号の作成方法には、ランダムに発生する方法、又は、プリンタ装置１０１のＭＡＣアドレス又は製造番号の一部を使用する方法などがあり、どのような方法でも良い。
【００２７】
図２のステップ２０５では、ＩＰアドレス、ＥＳＳ−ＩＤ、ＷＥＰ及びチャネル番号を暗号化して収容する１つのファイル、即ち、暗号キーファイルを作成する。ここでの暗号化は、復元可能であればどのような方法でも良く、簡易的には、テキストデータにスクランブルをかける方法がある。
【００２８】
図２のステップ２０６では、着脱可能な記録媒体であるメモリカード１０３に、図４に示すように、画像記録ディレクトリであるＤＣＩＭディレクトとは別のＷＬＡＮディレクトリを、作成する。図４に示す様に、ＲＯＯＴディレクトリの下に、ＤＣＩＭディレクトリとは別に、ＷＬＡＮディレクトリを作成する。
【００２９】
図２のステップ２０７では、ステップ２０６で作成したＷＬＡＮデレクトリの下に、ステップ２０４で作成した暗号キーファイルを設定値書き込み手段１０１−３によりカードＩ／Ｆ１０１−２を通してメモリカード１０３に書き込む。
【００３０】
以上でプリンタ装置１０１での処理を終了する。メモリカード１０３をプリンタ装置１０１から取り外して、画像記録再生装置１０２に装着する。
【００３１】
図３のステップ３０１で、メモリカード１０３が画像記録再生装置１０２に接続され、メモリカード１０３がマウントされる。
【００３２】
図３のステップ３０２では、メモリカード１０３内にＷＬＡＮディレクトリが存在するかどうかを調べる。ＷＬＡＮディレクトリが存在する場合、図３のステップ３０３に進み、存在しない場合、処理を終了する。
【００３３】
ＷＬＡＮディレクトリが存在する場合、図３のステップ３０３で、設定値読み込み手段１０２−３が、ＷＬＡＮディレクト内の暗号キーファイルを読み込む。
【００３４】
図３のステップ３０４で、暗号キーファイルから暗号化されたＩＰアドレス、ＥＳＳ−ＩＤ、ＷＥＰキー及びチャネル番号を読み出し、解読する。
【００３５】
図３のステップ３０５で、解読された暗号キーを画像記録再生装置（ＤＶＣ）１０２に設定する。尚、ＩＰアドレスは、解析して得られたアドレスとは異なった値を使用する。
【００３６】
図３のステップ３０６で、暗号キーファイルを削除し、図３のステップ３０７で、ＷＬＡＮディレクトリを削除する。
【００３７】
図３のステップ３０８で、プリンタ装置１０１との間で、無線ネットワークによるアドホック接続の通信を開始する。
【００３８】
この様に、着脱可能な記録媒体であるメモリカードにより、無線ネットワーク接続に必要な暗号キーをやり取りする事により、無線ネットワーク接続を非常に簡単に構築できる。
【００３９】
本実施例では、プリント装置１０１で暗号キーファイルを作成し、画像記録再生装置（ＤＶＣ）１０２で暗号キーファイルを読み込むとして説明したが、この逆に、画像記録再生装置（ＤＶＣ）１０２で暗号キーファイルを作成し、プリンタ装置１０１で暗号キーファイルを読み込むようにしてもよいことは明らかである。
【００４０】
プリンタ装置１０１と画像記録再生装置１０２間の無線ネットワーク接続による通信を切断する場合を説明する。図５は、プリンタ装置１０１のフローチャートを示し、図６は、画像記録再生装置１０２のフローチャートを示す。
【００４１】
プリンタ装置１０１では、図５のステップ５０１で、プリンタ装置１０１のオペレーションパネルより、無線ネットワーク接続の切断を指示する。オペレーションパネルの詳細は、省略する。図５のステップ５０２で、無線ネットワーク接続に必要な情報（設定値）を設定値保存手段１０１−４に保存する。図５のステップ５０３で、無線ネットワーク接続を切断する。
【００４２】
画像記録再生装置１０２では、図６のステップ６０１で、無線ネットワーク接続の状態を監視し、プリンタ装置１０１との間の無線ネットワーク接続が切断された事を検知すると、図６のステップ６０２で、無線ネットワーク接続に必要な情報を設定値保存手段１０２−４に保存する。図６のステップ６０３で、無線ネットワーク接続を終了する。
【００４３】
プリンタ装置１０１のオペレーションパネルより無線ネットワーク接続の切断を指示する場合を説明したが、この逆に、画像記録再生装置１０２のオペレーションパネルより無線ネットワーク接続の切断を指示しても良い。また、ネットワークの状態を互いに監視し、一定時間、通信が行われなかった場合、互いに無線ネットワーク接続を切断するようにしてもよい。
【００４４】
次に、一度切断した無線ネットワーク接続による通信を再開する場合を説明する。図７は、プリンタ装置１０１の処理のフローチャートを示す。
【００４５】
図７のステップ７０１で、無線通信によるネットワーク接続による通信開始をオペレーションパネルより指示する。オペレーションパネルの詳細は、省略する。図７のステップ７０２で、設定値保存手段１０１−４が、過去に行った無線通信の設定値を保存しているか否かを調べる。図７のステップ７０３で、設定値が保存してあれば、設定値保存手段１０１−４から設定値を読み込み、図７のステップ７０４で設定する。
【００４６】
同様の操作を画像記録再生装置１０２でも行い、プリンタ装置１０１と画像記録再生装置１０２との間の無線ネットワーク接続による通信を再開する。
【００４７】
図７のステップ７０２で、設定値保存手段１０１−４に設定値が保存されていない場合は、無線ネットワーク接続を初めて開始する時と同様の処理を行うことになる。
【実施例２】
【００４８】
図８は、本発明の第２実施例の概略構成ブロック図を示す。
【００４９】
８０１は、プリンタ装置であり、８０１−１は無線ネットワーク通信手段、８０１−２はメモリカードＩ／Ｆ、８０１−３は、無線ネットワーク接続に必要な情報をメモリカードに書き込む設定値書き込み手段、８０１−４は、無線ネットワーク接続に必要な情報及び直前の状態の設定値を保存する設定値保存手段である。
【００５０】
８０２は、画像記録再生装置（ＤＶＣ）であり、８０２−１は無線ネットワーク通信手段、８０２−２はメモリカードＩ／Ｆ、８０２−３は、無線ネットワーク接続に必要な情報をメモリカードから読み込み設定する設定値読み込み手段、８０２−４は、無線ネットワーク接続に必要な情報及び直前の状態の設定値を保存する設定値保存手段である。
【００５１】
図８に示す様に、本実施例では、無線ＬＡＮ接続を行おうとするプリンタ装置８０１が、既に、他のネットワークに接続している。ここでいう他のネットワークは、有線でも無線でもよいし、ネットワーク接続が、アドホック接続とインフラストラクチャ接続のどちらでもよい。また、プリンタ装置８０１、画像記録再生装置８０２及びメモリカード８０３からなる構成例を図示してあるが、これは、実施例の説明のためであり、機器及び着脱可能な記録媒体は、これらに限定されない。
【００５２】
図９は、プリンタ装置８０１の動作フローチャートを示す。図９のステップ９０１で、プリンタ装置８０１のオペレーションパネルより、無線ネットワーク接続による通信を新規に行う事を通知する。オペレーションパネルの詳細については、省略する。
【００５３】
新規に無線ネットワーク接続開始の通知が行われると、図９のステップ９０２で、プリンタ装置８０１は、既にネットワーク接続を行っているかどうかを判断する。ネットワーク接続が既に行われている場合、図９のステップ９０３で、そのネットワーク接続に関するネットワーク設定情報を設定値保存手段８０１−４に保存する。図９のステップ９０４で、そのネットワーク接続を切断する。これ以降の処理は、第１実施例１と同様であるので、説明を省略する。
【００５４】
画像記録再生装置８０２は、第１実施例の画像記録再生装置１０２と同様であるので、説明を省略する。
【００５５】
このように、プリンタ装置８０１が、他のネットワークにネットワーク接続している状況で、それを切断し、新たにアドホック接続により画像記録再生装置８０２にネットワーク接続する動作を、図１０を参照して説明する。図１０は、プリンタ装置８０１と画像記録再生装置８０２の、アドホックによる無線ネットワーク接続を切断する動作のフローチャートを示す。
【００５６】
図１０のステップ１００１で、構築済みのアドホックによる無線ネットワーク接続を、プリンタ装置８０１のオプレーションパネルより切断する事を通知する。オペレーションパネルの詳細は、省略する。尚、切断の通知は、画像記録再性装置８０２のオペレーションパネルからの通知でも良いし、また、アドホック接続による無線ネットワーク接続による通信が一定時間、無かった場合に、切断を通知するようにしてもよい。
【００５７】
図１０のステップ１００２で、現在、無線ネットワーク接続を構築しているかどうかを判断する。現在、無線ネットワーク接続を構築していた場合、図１０のステップ１００３で、無線ネットワーク接続に関する情報（設定値）を設定値保存手段８０１−４に保存し、図１０のステップ１００４で、無線ネットワーク接続を切断する。
【００５８】
図１０のステップ１００５で、図９のステップ９０３で設定値保存手段８−８０４に保存した情報、即ち、プリンタ装置８０１と画像記録再生装置８０２の無線ネットワーク接続を開始する直前のネットワーク接続に関する情報（設定値）を読み出し、設定する。
【００５９】
図１０のステップ１００６で、プリンタ装置８０１と画像記録再生装置８０２の無線ネットワーク接続を開始する直前のネットワーク接続を開始する。
【００６０】
以上、説明した様に、プリンタ装置８０１と画像記録再生装置８０２の無線ネットワーク接続を行う直前にネットワークを構築していた場合、プリンタ装置８０１と画像記録再生装置８０２の無線ネットワーク接続が終了した際、自動的に直前のネットワーク接続を復元する。
【００６１】
プリンタ装置８０１が暗号キーファイルを作成し、画像記録再生装置（ＤＶＣ）８０２がその暗号キーファイルを読み込み、アドホック接続により無線ネットワーク接続を行う場合を説明したが、この逆に、画像記録再生装置（ＤＶＣ）８０２が、暗号キーファイルを作成し、無線ネットワーク接続を構築してもよい。この場合、着脱可能な記録媒体であるメモリカードがマウントされた際、既に他のネットワークにネットワーク接続しているかどうかを判断し、構築していた場合にはそのネットワーク接続を切断する。この処理のフローチャートを図１１に示す。
【００６２】
第１実施例と同様、図１１のステップ１１０１でメモリカードをマウントし、図１１のステップ１１０２でＷＬＡＮディレクトリの有無を判断する。ＷＬＡＮディレクトリがある場合、図１１のステップ１１０３で、既に他のネットワークにネットワーク接続しているかどうかを判断する。他のネットワークにネットワークしている場合、図１１のステップ１１０４で、そのネットワーク接続についての情報を設定値保存手段８−８０４に保存し、図１１のステップ１１０５で、そのネットワーク接続を切断する。これ以降は、第１実施例と同様の処理が行われる。
【図面の簡単な説明】
【００６３】
【図１】本発明の第１実施例の概略構成ブロック図である。
【図２】プリンタ装置１０１の接続動作のフローチャートである。
【図３】画像記録再生装置１０２の接続動作のフローチャートである。
【図４】記録媒体１０３のディレクトリ構成を示す図である。
【図５】プリンタ装置１０１の切断動作のフローチャートである。
【図６】画像記録再生装置１０２の切断動作のフローチャートである。
【図７】プリンタ装置１０１の接続復元動作のフローチャートである。
【図８】本発明の第２実施例の概略構成ブロック図である。
【図９】プリンタ装置８０１の接続動作のフローチャートである。
【図１０】プリンタ装置８０１の接続復元動作のフローチャートである。
【図１１】プリンタ装置８０１の切断動作のフローチャートである。
【符号の説明】
【００６４】
１０１：プリンタ装置
１０１−１：無線ネットワーク通信手段
１０１−２：メモリカードＩ／Ｆ
１０１−３：設定値書き込み手段
１０１−４：設定値保存手段
１０２：画像記録再生装置（ＤＶＣ）
１０２−１：無線ネットワーク通信手段
１０２−２：メモリカードＩ／Ｆ
１０２−３：設定値読み込み手段
１０２−４：設定値保存手段
１０３：記録媒体（メモリカード）
８０１：プリンタ装置
８０１−１：無線ネットワーク通信手段
８０１−２：メモリカードＩ／Ｆ
８０１−３：設定値書き込み手段
８０１−４：設定値保存手段
８０２：画像記録再生装置（ＤＶＣ）
８０２−１：無線ネットワーク通信手段
８０２−２：メモリカードＩ／Ｆ
８０２−３：設定値読み込み手段
８０２−４：設定値保存手段
８０３：記録媒体（メモリカード）
【図１】
2005303565.tif 000003
【図２】
2005303565.tif 000004
【図３】
2005303565.tif 000005
【図４】
2005303565.tif 000006
【図５】
2005303565.tif 000007
【図６】
2005303565.tif 000008
【図７】
2005303565.tif 000009
【図８】
2005303565.tif 000010
【図９】
2005303565.tif 000011
【図１０】
2005303565.tif 000012
【図１１】
2005303565.tif 000013